(57)【要約】【課題】  １つのコンテンツ管理システムにおいて、管理者は出力先を意識することなく、通常のコンテンツの管理を行なうことで、情報の出力先を自動的に制御することが可能なコンテンツ管理システム技術を提供すること。【解決手段】  コンテンツを登録するコンテンツデータ登録手段１１２を有するコンテンツ管理サーバ１１０と、コンテンツの表示／非表示を入力項目毎かつ出力先毎に定義するコンテンツ表示／非表示管理テーブル１１６とを備え、コンテンツ管理サーバ１１０は、コンテンツの承認／非承認を登録する承認／非承認登録手段１１３と、コンテンツの中から承認／非承認登録手段１１３で「承認」と登録されテーブル１１６で「表示」と定義されているコンテンツを抽出するコンテンツデータ抽出手段１１４と、抽出されたコンテンツをテーブル１１６で定義されている出力先に配信するコンテンツデータ配信手段１１５とを有する。【選択図】      図２
2007080168.tif 000002
【特許請求の範囲】
【請求項１】
入力項目に対応するコンテンツデータを登録するコンテンツデータ登録手段を有するコンテンツ管理サーバと、前記コンテンツデータ登録手段で登録されたコンテンツデータの表示／非表示を、入力項目毎かつ出力先毎に定義するコンテンツ表示／非表示管理テーブルとを備えたコンテンツ管理システムであって、
前記コンテンツ管理サーバは、さらに、
前記コンテンツデータ登録手段で登録された各コンテンツデータの承認／非承認を登録する承認／非承認登録手段と、
前記コンテンツデータ登録手段で登録されたコンテンツデータの中から、前記承認／非承認登録手段で「承認」と登録され、かつ、前記前記コンテンツ表示／非表示管理テーブルで「表示」と定義されているコンテンツデータを抽出するコンテンツデータ抽出手段と、
該コンテンツデータ抽出手段で抽出されたコンテンツデータを前記コンテンツ表示／非表示管理テーブルで定義されている出力先に配信するコンテンツデータ配信手段と
を備えたことを特徴とするコンテンツ管理システム。
【請求項２】
前記出力先が、イントラネットを介してコンテンツの閲覧を可能にする第１の公開サーバ／インターネットを介してコンテンツの閲覧を可能にする第２の公開サーバ、一般ユーザ装置／限定ユーザ装置、もしくはＰＣ／モバイルを含むことを特徴とする請求項１記載のコンテンツ管理システム。
【請求項３】
イントラネットを介してコンテンツの閲覧を可能にする第１の公開サーバと、インターネットを介してコンテンツの閲覧を可能にする第２の公開サーバと、前記第１の公開サーバと前記第２の公開サーバにコンテンツデータを配信するコンテンツ管理サーバと、コンテンツが入力される入力項目毎に、前記第１の公開サーバと前記第２の公開サーバの各々に前記コンテンツデータ登録手段で登録されたコンテンツデータを公開するか否か（表示／非表示）を定義するコンテンツ表示／非表示管理テーブルを備えたコンテンツ出力制御システムであって、
前記コンテンツ管理サーバは、
入力項目に対応するコンテンツデータを登録するコンテンツデータ登録手段と、
前記コンテンツデータ登録手段で登録された各コンテンツデータの承認／非承認を登録する承認／非承認登録手段と、
前記コンテンツデータ登録手段で登録されたコンテンツデータの中から、前記承認／非承認登録手段で「承認」と登録され、かつ、前記前記コンテンツ表示／非表示管理テーブルに「表示」と定義されているコンテンツデータを抽出するコンテンツデータ抽出手段と、
該コンテンツデータ抽出手段で抽出されたコンテンツデータを、前記コンテンツ表示／非表示管理テーブルに出力先として定義されている公開サーバに配信するコンテンツデータ配信手段
を備えたことを特徴とするコンテンツ出力制御システム。
【請求項４】
入力項目に対応するコンテンツデータを登録するコンテンツデータ登録手段を有するコンテンツ管理サーバと、前記コンテンツデータ登録手段で登録されたコンテンツデータの表示／非表示を、入力項目毎かつ出力先毎に定義するコンテンツ表示／非表示管理テーブルとを備え、前記登録されたコンテンツデータを前記コンテンツ表示／非表示管理テーブルの定義に基づいて前記出力先に配信するコンテンツ管理方法であって、
前記コンテンツ管理サーバの前記コンテンツデータ登録手段により入力項目に対応するコンテンツデータを登録するコンテンツデータ登録ステップと、
該コンテンツデータ登録ステップで登録された各コンテンツデータの承認／非承認を登録する承認／非承認登録ステップと、
前記コンテンツデータ登録ステップによって登録されたコンテンツデータの中から、前記承認／非承認登録ステップで「承認」と登録され、かつ、前記前記コンテンツ表示／非表示管理テーブルで「表示」と定義されているコンテンツデータを抽出するコンテンツデータ抽出ステップと、
該コンテンツデータ抽出ステップで抽出されたコンテンツデータを前記コンテンツ表示／非表示管理テーブルで定義されている出力先に配信するコンテンツデータ配信ステップと
を有することを特徴とするコンテンツ管理方法。
【請求項５】
前記出力先が、イントラネットを介してコンテンツの閲覧を可能にする第１の公開サーバと、インターネットを介してコンテンツの閲覧を可能にする第２の公開サーバを含むことを特徴とする請求項４記載のコンテンツ管理方法。
【請求項６】
入力項目に対応するコンテンツデータを登録するコンテンツデータ登録手段を有するコンテンツ管理サーバと、前記コンテンツデータ登録手段で登録されたコンテンツデータの表示／非表示を、入力項目毎かつ出力先毎に定義するコンテンツ表示／非表示管理テーブルとを備えたコンテンツ管理システムにおいて前記コンテンツ管理サーバで実行されるコンテンツ管理用プログラムであって、
コンピュータを、
入力項目に対応するコンテンツデータを登録するコンテンツデータ登録手段と、
前記コンテンツデータ登録手段で登録された各コンテンツデータの承認／非承認を登録する承認／非承認登録手段と、
前記コンテンツデータ登録手段で登録されたコンテンツデータの中から、前記承認／非承認登録手段で「承認」と登録され、かつ、前記前記コンテンツ表示／非表示管理テーブルで「表示」と定義されているコンテンツデータを抽出するコンテンツデータ抽出手段と、
該コンテンツデータ抽出手段で抽出されたコンテンツデータを前記コンテンツ表示／非表示管理テーブルで定義されている出力先に配信するコンテンツデータ配信手段
として機能させるためのコンテンツ管理用プログラム。
【請求項７】
前記出力先が、イントラネットを介してコンテンツの閲覧を可能にする第１の公開サーバ／インターネットを介してコンテンツの閲覧を可能にする第２の公開サーバ、一般ユーザ装置／限定ユーザ装置、もしくはＰＣ／モバイルを含むことを特徴とする請求項６記載のコンテンツ管理用プログラム。
【発明の詳細な説明】
【技術分野】
【０００１】
本発明は、コンテンツ管理システム技術に係り、特に、１入力／複数出力の制御技術を備えたネットワークおよびウェブブラウザを用いたコンテンツ管理システム，コンテンツ出力制御システムおよびコンテンツ管理方法ならびにコンテンツ管理用プログラムに関する。
【背景技術】
【０００２】
コンテンツマネジメントシステム（ＣＭＳ；Contents Management System／コンテンツ管理システム）とは、コンテンツの更新・管理を簡易化することを目的として開発されたものである。コンテンツマネジメントシステムを導入することにより、導入者は以下の２点の効果をあげることができる。
【０００３】
（１）コンテンツ情報を容易に入力できるＷｅｂエディタ機能や、サイトのデザインやレイアウトの統一を容易に実現することができるテンプレート機能が提供され、入力担当者によるコンテンツの更新作業を簡易化し、タスク軽減を実現する。
【０００４】
（２）承認手続きを簡易化するワークフロー機能やコンテンツの公開や削除を自動で行なうスケジュール機能等が提供され、サイト管理者にかかるタスクの軽減を実現する。
【０００５】
従来のコンテンツマネジメントシステムでは、１サイトを構築するのに１つのコンテンツマネジメントシステムが必要であり、複数のサイトを管理するためには、サイト数分のコンテンツマネジメントシステムを導入し、管理する必要がある。
【０００６】
ウェブサイトのコンテンツ管理に関しては、例えば、特開２００５−７８２２４号公報「ウェブサイト管理システム」（特許文献１）に開示された技術が知られている。
【０００７】
これは、ウェブサイトの更新管理を行うと共に、過去・現在・未来にわたり連続する時間軸の任意の時点を指定して当該ウェブサイトのデジタルコンテンツの管理を行うことが可能なウェブサイト管理システムである。
【０００８】
具体的には、デジタルコンテンツの読み込みを行う入力手段と、デジタルコンテンツの公開・公開終了を公開日時情報と関連付けて入力する入力手段と、入力されたデジタルコンテンツを、公開日時情報に関連付けて記憶する手段と、入力された更新情報を記憶する手段と、更新日時の到来により当該公開日時情報に関連付けられて記憶された更新後のデジタルコンテンツを公開する手段と、ウェブサイトのデジタルコンテンツを、過去・現在・未来にわたり連続する時間軸の任意の時点を指定して管理可能なウェブサイト管理手段とを備えることで実現するものである。
【０００９】
【特許文献１】特開２００５-７８２２４号公報
【発明の開示】
【発明が解決しようとする課題】
【００１０】
上記特許文献１に開示されたコンテンツマネジメントシステムは、１つのコンテンツマネジメントシステムで１つのサイトを管理するものである。
【００１１】
そのため、コンテンツマネジメントシステムを導入する多くの企業・団体は、インターネット向け／イントラネット向けサイト、一般ユーザ向け／会員ユーザ向けサイト、ＰＣ用／モバイル用サイトなどのように、内容がほぼ同様でありながら閲覧する人や閲覧方法の異なるサイトでは一元管理ができない。
【００１２】
図１０は、類似コンテンツの表示方法や閲覧ユーザによる違いの相関図の例である。同図において、Ｘは、例えばインターネット用コンテンツあるいは一般ユーザ向けコンテンツあるいはＰＣ用コンテンツなどであり、Ｙは、上記Ｘのそれぞれのコンテンツに対して、イントラネット用コンテンツあるいは会員ユーザ向けコンテンツあるいはモバイル用コンテンツなどであり、Ｚは上記Ｘ，Ｙの共通コンテンツである。
【００１３】
同図に示すように、重複した内容を含むコンテンツ（共通コンテンツＺ）を多数持つサイトを別々のコンテンツマネジメントシステムで管理すると、共通コンテンツの更新が発生するたびに、それぞれのコンテンツマネジメントシステムでこの共通コンテンツである重複する情報を繰り返して入力しなければならない上、デザイン、コンテンツ、サイト構造に整合性を持たせることが困難になるという不都合も発生する。
【００１４】
企業が企業を対象として電子商取引を行う企業間商取引のためのＢ to Ｂ（Business to Business）サイトのように、膨大な数のコンテンツを持つサイトを抱える企業においては、商品情報の更新が頻繁に発生するため、この問題に解決策を見出せないサイト管理者は多い。
【００１５】
本発明は、上記問題を解決し、１つのコンテンツマネジメントシステム（CMS；Contents Management System）において、管理者は出力先を意識することなく、通常のコンテンツの管理を行なうことで、情報の出力先を自動的に制御することが可能なコンテンツ管理システム技術を提供することを目的とする。
【課題を解決するための手段】
【００１６】
本発明によれば、上記目的は従来のコンテンツマネジメントシステム（コンテンツ管理システム）において、コンテンツデータの表示／非表示を入力項目毎かつ出力先毎に定義するコンテンツ表示／非表示管理テーブルを用いて、情報の公開条件（表示／非表示）および入力項目の出力先の制御を行うことにより達成される。
【００１７】
具体的には、入力項目に対応するコンテンツデータを登録するコンテンツデータ登録手段を有するコンテンツ管理サーバと、前記コンテンツデータ登録手段で登録されたコンテンツデータの表示／非表示を、入力項目毎かつ出力先（例えば、イントラネットを介してコンテンツの閲覧を可能にする第１の公開サーバ／インターネットを介してコンテンツの閲覧を可能にする第２の公開サーバ、一般ユーザ装置／限定ユーザ装置、もしくはＰＣ／モバイル）毎に定義するコンテンツ表示／非表示管理テーブルとを備えたコンテンツ管理システムであって、前記コンテンツ管理サーバは、さらに、前記コンテンツデータ登録手段で登録された各コンテンツデータの承認／非承認を登録する承認／非承認登録手段と、前記コンテンツデータ登録手段で登録されたコンテンツデータの中から、前記承認／非承認登録手段で「承認」と登録され、かつ、前記前記コンテンツ表示／非表示管理テーブルで「表示」と定義されているコンテンツデータを抽出するコンテンツデータ抽出手段と、該コンテンツデータ抽出手段で抽出されたコンテンツデータを前記コンテンツ表示／非表示管理テーブルで定義されている出力先に配信するコンテンツデータ配信手段とを備えたことを特徴とするものであり、そのためのコンテンツ管理方法およびコンテンツ管理用プログラムも権利範囲に及ぶものである。
【発明の効果】
【００１８】
本発明によれば、上述したように、コンテンツ管理システム（ＣＭＳ）において、コンテンツデータの表示／非表示を入力項目毎かつ出力先毎に定義するコンテンツ表示／非表示管理テーブルを用いて、情報の公開条件（表示／非表示）および入力項目の出力先の制御を行うようにしたことにより、以下にあげる４点の効果をあげることができる。
【００１９】
（ａ）情報入力者は、一つのコンテンツ管理システム（ＣＭＳ）においてコンテンツを作成することで、２つ以上のコンテンツを生成することができ、業務の効率化が実現される。
【００２０】
（ｂ）出力をインターネットコンテンツ／イントラネットコンテンツとした場合、イントラネットに掲載される情報には社外の顧客に有意義な情報が含まれる。１入力複数出力型のコンテンツ管理システム（ＣＭＳ）を導入することにより、イントラネットに掲載される情報のうち、情報開示が可能であり、顧客にとって有用な情報をインターネット上に開示できる。これによって、サイト訪問者に対して、きめこまやかな情報提供を行なうことができる。
【００２１】
（ｃ）出力を一般ユーザ向けコンテンツ／限定ユーザ向けコンテンツ、もしくはＰＣ用コンテンツ／モバイル用コンテンツのように、閲覧者や閲覧方法が異なるコンテンツとした場合、各コンテンツの一元管理を行なうことが可能となる。
【００２２】
（ｄ）出力はＷｅｂコンテンツに限らず、社外向けのメールマガジンと社内向けのメールマガジンや、会員ごとに内容の異なるメールマガジン、プレスリリース用と一般公開用異なるＰＤＦやＷＯＲＤファイルなどのドキュメント出力などにも応用できる。
【発明を実施するための最良の形態】
【００２３】
本発明による、コンテンツ管理システム（ＣＭＳ；Contents Management System）における１入力複数出力の制御方式の一実施例を、複数出力をインターネットコンテンツとイントラネットコンテンツとして、図面を用いて説明する。
【００２４】
図１において、１１はデータベース（ＤＢ）を備え、コンテンツ管理システム（ＣＭＳ）が作動しているＣＭＳ／ＤＢサーバ（詳細は図２参照）、１２は出力１公開用ＷＥＢサーバ、１３は出力２公開用ＷＥＢサーバ、１４は閲覧者Ａ、１５は担当者・管理者、１６は閲覧者Ｂ、１７はインターネット、１８は内部ＬＡＮである。
【００２５】
担当者または管理者１５は、担当者用または管理者用の端末により内部ＬＡＮ１８を経由してＣＭＳ／ＤＢサーバ１１にアクセスし、該ＣＭＳ／ＤＢサーバ１１内のデータベース（ＤＢ）へコンテンツの登録を行なう。
【００２６】
登録されたコンテンツは、ＦＴＰ（File Transfer Protocol）転送により内部ＬＡＮ１８を経由して出力１公開用ＷＥＢサーバ１２および出力２公開用ＷＥＢサーバ１３にアップロードされ、閲覧者Ａあるいは閲覧者Ｂの端末に公開される。
【００２７】
出力１公開サーバ１２に公開されたコンテンツは内部ＬＡＮ１８を経由して閲覧者Ａ１４の端末に表示・閲覧され、出力２公開サーバ１３に公開されたコンテンツはインターネット１７を経由して閲覧者Ｂ１６の端末に表示・閲覧される。
【００２８】
図２は、図１のＣＭＳ／ＤＢサーバ１１に相当するコンテンツ管理システム（ＣＭＳ）の一実施例を示す全体構成図である。
【００２９】
同図において、１１０はコンテンツ管理サーバ、１１１はコンテンツ管理サーバ全体の制御を行う制御部、１１２はコンテンツデータを登録するコンテンツデータ登録部（コンテンツデータ登録手段）、１１３はコンテンツデータが不備がなく公開して問題ないデータであるかを確認し、不備がなく公開してもよい場合は承認とし、不備があったりして公開しては困る場合は非承認とする承認／非承認登録部（承認／非承認登録手段）、１１４はコンテンツ格納ＤＢからコンテンツデータを抽出するコンテンツデータ抽出部（コンテンツデータ抽出手段）、１１５は後述するコンテンツ表示／非表示管理テーブル１１６に定義してあるコンテンツデータを、同じく定義してある出力先に配信するコンテンツデータ配信部（コンテンツデータ配信手段）、１１６はコンテンツ表示／非表示管理テーブル、１１７はコンテンツデータを格納するコンテンツ格納ＤＢである。
【００３０】
図３−Ａは、図２におけるコンテンツ表示／非表示管理テーブル１１６の内容の一例を示す図である。
【００３１】
図３−Ａに示すように、コンテンツ表示／非表示管理テーブル１１６には、１入力に対して入力項目として項目１〜項目ｎのｎ個があり、出力として出力１〜出力ｍのｍ個があり、それぞれの入力項目（項目１〜項目ｎ）に対して、当該項目を出力１〜出力ｍに出力するか否かの制御データ（すなわち表示／非表示のデータ）が定義され登録されている。
【００３２】
図３−Ｂは、コンテンツ表示／非表示管理テーブル１１６に図３−Ａに示す如き表示／非表示の内容が登録されている場合のコンテンツ管理システム（ＣＭＳ；Contents Management System）における入力項目と各出力１〜ｍへの表示（開示）項目の関係を示す図であり、出力１に項目１，２，５，６，・・が、出力２に項目１，２，３，４，５，６・・が表示（公開）される様子を示している。
【００３３】
図４−Ａ〜図４−Ｃは、図３−Ｂにおける入力項目と出力１，２への表示（開示）項目の具体例を示す図である。
【００３４】
入力画面において、ｎ個の入力項目（項目１〜項目ｎ）を持つ一つの入力フォームがあり、担当者はこの入力フォームにおいて必要な全ての情報を入力する。図４−Ａは、必要な全ての項目が入力された状態の一例を示す図である。
【００３５】
この入力フォームにおいて入力された情報（図４−Ａ）と、上述の図３のコンテンツ表示／非表示管理テーブル１１６に格納されている出力毎の公開条件（表示／非表示）とを比較し、表示コンテンツを出力することで、出力１（図４−Ｂ），出力２（図４−Ｃ），・・・出力ｍのそれぞれに出力する項目を制御する。
【００３６】
各出力画面に表示する項目の位置，順序などは各出力画面に対応付けられたテンプレートに基づいて行われる。各出力画面のテンプレートは、各出力にコンテンツを送る際に一緒に送ってもよいし、予め各出力毎に自出力のテンプレートを登録しておくようにしてもよい。通常のテンプレートでは「問合せ部署」を出力画面の最後部に表示するようにすることが一般的である（図４−Ｃ参照）。
【００３７】
図３のコンテンツ表示／非表示管理テーブル１１６の登録内容の場合、出力１（図４−Ｂ）には入力項目１，２，５，６・・が、出力２（図４−Ｃ）には入力項目１，２，３，４，５，６・・が、それぞれ表示（公開）されることを示している。
【００３８】
図５は、コンテンツ管理システム（ＣＭＳ）の動作を説明する制御フローを示す図であり、図６は、入力部分（コンテンツデータ登録部１１２）の制御フローを示す図であり、図７は、承認部分（承認／非承認登録部１１３）の制御フローを示す図である。
【００３９】
図５に示すように、まず、入力担当者が項目１〜ｎの入力項目に対する入力を行い(ステップＳ５１)、同時にコンテンツ情報としてコンテンツ格納ＤＢ１１７への登録が行なわれる(ステップＳ５２)。図６は、入力項目（項目１〜ｎ）の登録を説明するための模式図である。
【００４０】
次に、承認担当者はコンテンツ格納ＤＢ１１７に登録されたコンテンツ情報を確認し(ステップＳ５３)、登録されたコンテンツ情報に問題がなければ承認する(ステップＳ５４)。情報に不備などがあった場合は非承認となり(ステップＳ５５)、入力担当者に対して差し戻される。図７は、入力項目（項目１〜ｎ）の確認（承認／非承認）の登録を説明するための模式図である。
【００４１】
図８は、ステップＳ５４で承認されたコンテンツに対してスケジューラによりで公開処理を行なうためのコンテンツデータ公開制御フローを示す図である。
同図に示すように、まず、スケジューラが定時間隔に起動し(ステップＳ８１)、承認がされて公開がされていないコンテンツを検索する(ステップＳ８２)。公開の対象となるコンテンツが見つからない場合は(ステップＳ８４)、スケジューラは終了し、次回のスケジューラの起動を待つ。
【００４２】
また、対象となるコンテンツが見つかった場合は(ステップＳ８３)、そのコンテンツ情報を取得し(ステップＳ８５)、項目１〜項目ｎのそれぞれに対する公開条件を、図３に示したコンテンツ表示／非表示管理テーブル１１６を参照し(ステップＳ８７)、出力１〜出力ｍに対して出力／非出力（表示／非表示）を判定し(ステップＳ８６；詳細は図９のステップＳ９１、Ｓ９２、Ｓ９３参照)、出力（表示）すると判定された結果を出力する(ステップＳ８８、Ｓ８９、Ｓ９０)。
【００４３】
図９は、図８のステップＳ８６における出力先制御方式の詳細フローを示す図である。
【００４４】
ステップＳ８７によりコンテンツ表示／非表示管理テーブル１１６から取得した公開条件により、出力（表示すなわち公開）すると判定された項目(ステップＳ９４、Ｓ９６、Ｓ９８)については、出力１〜出力ｍの出力項目として追加され(ステップＳ１００、Ｓ１０２、Ｓ１０４)、非出力（非表示すなわち非公開）と判定された(ステップＳ９５、Ｓ９７、Ｓ９９)項目については、非出力（非表示すなわち非公開）のまま終了する(ステップＳ１０１、Ｓ１０３、Ｓ１０５)。
【００４５】
公開（表示）する入力項目のコンテンツデータだけがコンテンツ表示／非表示管理テーブル１１６に定義された出力（出力１〜ｎ）に配信されて表示（公開）される。
【００４６】
以上、本発明の一実施例に基づいて説明したが、本発明はこの実施例に限定されるものではない。例えば、出力１、２として、図１の例では、イントラネットを介してコンテンツを閲覧する第１の公開サーバ（出力１公開用ＷＥＢサーバ１２）とインターネットを介してコンテンツを閲覧する第２の公開サーバ（出力２公開用ＷＥＢサーバ１３）を用いた例を示したが、より一般には、一般ユーザ装置／限定ユーザ装置、ＰＣ／モバイルなど、異なる種類の表示方法や閲覧ユーザ毎に出力を分類し、出力１〜ｎのように振り分けることが可能である。
【００４７】
また、上述した実施例におけるコンテンツ管理システムにおけるコンテンツ管理サーバが具備する「コンテンツデータ登録手段」，「承認／非承認登録手段」，「コンテンツデータ抽出手段」，「コンテンツデータ配信手段」は、コンテンツ管理サーバを構成する各種ハードウェア（ＣＰＵ、メモリなど）とソフトウェア（プログラム）によって実現されるものである。
【００４８】
上記「コンテンツデータ登録手段」，「承認／非承認登録手段」，「コンテンツデータ抽出手段」，「コンテンツデータ配信手段」が実現する機能をプログラムコード化し、ＣＤ−ＲＯＭ、ＣＤＲ，ＣＤＲＷ，ＤＶＤ，ＦＤなどのコンピュータ読み取り可能な記録媒体に記録したり、インターネットなどのネットワークを介して市場に流通させることができる。
【産業上の利用可能性】
【００４９】
情報入力者は、一つのコンテンツ管理システム（ＣＭＳ）の入力インターフェースで入力することで、２つ以上のコンテンツを生成することができる。また、出力を一般ユーザ向けコンテンツ／限定ユーザ向けコンテンツ、もしくはＰＣ用コンテンツ／モバイル用コンテンツのように、閲覧者や閲覧方法が異なるコンテンツとした場合、各コンテンツの一元管理を容易に行なうことが可能となる。これらによって、サイト管理者の業務の効率化という、顕著な効果が得られる。
【００５０】
さらに、１入力複数出力型のコンテンツ管理システム（ＣＭＳ）を導入することにより、閲覧者に有用な情報をより多く公開することができ、出力先を社外向けのメールマガジンと社内向けのメールマガジンや、会員ごとに内容の異なるメールマガジン、プレスリリース用と一般公開用異なるＰＤＦやＷＯＲＤファイルなどのドキュメント出力などにも応用できる。これにより、サイト管理だけでなく、その他のさまざまなコンテンツを管理する業務にかかるタスクを軽減するという、顕著な効果が得られる。
【図面の簡単な説明】
【００５１】
【図１】本発明の一実施例による本発明を実現するシステム構成の一例を示す図である。
【図２】本発明の一実施例に係るコンテンツ監視システム（ＣＭＳ；Contents Management System）の構成例である。
【図３−Ａ】本発明の一実施例に係るコンテンツ表示／非表示管理テーブルの内容の一例を示す図である。
【図３−Ｂ】図３−Ａのコンテンツ表示／非表示管理テーブルを用いた場合の本発明における入力項目と各出力１〜ｍへの表示（開示）項目の関係を示す図である。
【図４−Ａ】本発明の一実施例による本発明の原理を説明するための表示画面（入力項目）の例を示す図である。
【図４−Ｂ】本発明の一実施例による本発明の原理を説明するための表示画面（出力１への表示（公開）項目）の例を示す図である。
【図４−Ｃ】本発明の一実施例による本発明の原理を説明するための表示画面（出力２への表示（公開）項目）の例を示す図である。
【図５】本発明の一実施例によるコンテンツ管理システムの動作処理を説明する制御フロー図である。
【図６】本発明の一実施例によるコンテンツデータ入力（登録）制御の模式図である。
【図７】本発明の一実施例によるコンテンツデータ承認（確認）制御の模式図である。
【図８】本発明の一実施例によるコンテンツデータ公開制御フロー図である。
【図９】本発明の一実施例による出力先制御方式の詳細フロー図である。
【図１０】類似コンテンツの表示方法や閲覧ユーザによる違いの相関を示す図である。
【符号の説明】
【００５２】
１１：ＣＭＳ／ＤＢサーバ（コンテンツ管理システム）
１２：出力１公開用ＷＥＢサーバ
１３：出力２公開用ＷＥＢサーバ
１４：閲覧者Ａ
１５：担当者・管理者
１６：閲覧者Ｂ
１７：インターネット
１１０：コンテンツ管理サーバ
１１１：制御部
１１２：コンテンツデータ登録部
１１３：承認／非承認登録部
１１４：コンテンツデータ抽出部
１１５：コンテンツデータ配信部
１１６：コンテンツ表示／非表示管理テーブル
１１７：コンテンツ格納ＤＢ
【図１】
2007080168.tif 000003
【図２】
2007080168.tif 000004
【図３−Ａ】
2007080168.tif 000005
【図３−Ｂ】
2007080168.tif 000006
【図４−Ａ】
2007080168.tif 000007
【図４−Ｂ】
2007080168.tif 000008
【図４−Ｃ】
2007080168.tif 000009
【図５】
2007080168.tif 000010
【図６】
2007080168.tif 000011
【図７】
2007080168.tif 000012
【図８】
2007080168.tif 000013
【図９】
2007080168.tif 000014
【図１０】
2007080168.tif 000015